(57)【特許請求の範囲】
【請求項１】
複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調カモフラージュ模様データの階調値をより低い明度に調整して調整された多階調カモフラージュ模様データを生成する調整工程と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを
有することを特徴とするコンピュータ読み取り可能な地紋画像生成プログラム。
【請求項２】
請求項１において，
前記調整工程は，前記多階調カモフラージュ模様データの階調値が所定の基準明度より高いか否か判定する工程を有し，高い場合に前記より低い明度に調整することを特徴とする地紋画像生成プログラム。
【請求項３】
請求項１において，
前記調整工程では，さらに前記多階調カモフラージュ模様データの階調値について，当該階調値の明暗コントラストを強調するコントラスト強調処理を行うことを特徴とする地紋画像生成プログラム。
【請求項４】
請求項１において，
前記調整工程では，さらに前記多階調カモフラージュ模様データの階調値について，当該カモフラージュ模様のエッジ部分の階調値の明暗コントラストを強調する先鋭化処理を行うことを特徴とする地紋画像生成プログラム。
【請求項５】
請求項１において，
前記潜像部画像データは，前記調整されたカモフラージュ模様データの階調値に対応する位置に複数の第１のドットを形成する画像データであり，
前記背景部画像データは，前記調整されたカモフラージュ模様データの階調値に対応する位置に複数の第２のドットを形成する画像データであり，
前記潜像部スクリーンは前記第１のドットの中心にドットを集中して形成するドット集中型スクリーンであり，前記背景部スクリーンは前記第２のドットを分散して形成するドット分散型スクリーンであることを特徴とする地紋画像生成プログラム。
【請求項６】
請求項１において，
前記潜像部画像データは，前記調整されたカモフラージュ模様データの階調値に対応する位置に複数の第１のドットを形成する画像データであり，
前記背景部画像データは，前記調整されたカモフラージュ模様データの階調値に対応する位置に複数の第２のドットを形成する画像データであり，
前記潜像部スクリーンは第１のスクリーン線数を有し，前記背景部スクリーンは前記第１のスクリーン線数より高い第２のスクリーン線数を有することを特徴とする地紋画像生成プログラム。
【請求項７】
複写時に再現される出力濃度が異なる潜像部と背景部とで構成される地紋画像データを生成する地紋画像生成装置において，
多階調カモフラージュ模様データの階調値をより低い明度に調整して調整された多階調カモフラージュ模様データを生成する調整手段と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成手段とを
有することを特徴とする地紋画像生成装置。
【発明の詳細な説明】
【技術分野】
【０００１】
本発明は，地紋画像生成プログラム及び地紋画像生成装置に関し，特に，原本の複写による偽造を抑止する効果を有する地紋画像データの生成プログラム及び地紋画像生成装置に関する。
【背景技術】
【０００２】
偽造抑止地紋は，原本の本来の画像に背景として合成され，印刷された文書が原本か複写物かを区別することを可能にする。偽造抑止地紋は，原本では識別することが難しいが，複写すると地紋の文字や画像が浮かび上がる。それを利用して，原本と複写物とを容易に区別することが可能になる。また，複写によって地紋の文字や画像が浮かび上がるので，偽造抑止地紋を合成して原本を生成すれば，心理的に原本の複写を抑止する効果が得られる。
【０００３】
偽造抑止地紋については，特許文献１に記載され，この記載によれば以下の通りである。
【０００４】
偽造抑止地紋の一般的な構成は，複写によって原本のドットが残るまたは減少が少ない「潜像部」と，複写によって原本のドットが消失または大きく減少する「背景部」の２つの領域からなる。つまり，潜像部は複写による濃度変化が少なく原本の画像がそのまま再現され，背景部は複写による濃度変化が大きく原本の画像が消失する。この２つの領域により地紋の文字や画像が形成され，この地紋の文字や画像を「潜像」と称する。
【０００５】
この潜像部と背景部の２つの領域は濃度がほぼ同等であり，原本の状態では一見すると「複写」などの地紋の文字や画像が隠れていることが判別困難であるが，ミクロ的には各々異なる特性を持っている。そして，複写されるとそれらの濃度変化の差により，潜像部と背景部との間に濃度差が生じてこの２つの領域で形成された地紋の文字や画像の判別が容易になる。
【０００６】
潜像部は複写時(コピーによるスキャニング時)にドットを読み取り易くするために，集中したドットの固まりで構成し，逆に背景部は複写時にドットを読み取り難くするために分散したドットで構成する。このようにすることで，潜像部は複写後にドットが残り易く，背景部は潜像部よりもドットが消え易い特性になる。集中したドットや分散したドットは，異なる線数の網点を用いた網点処理によって実現することができる。すなわち，集中したドット配置を得るためには低い線数の網点を用い，分散したドット配置を得るためには高い線数の網点を用いる。
【０００７】
一般に複写機には，複写対象の原稿の微小なドットをスキャナーで読み取る工程での入力解像度と，スキャナーで読み取った微小なドットを印刷エンジンで再現する工程での出力解像度とに依存した画像再現能力の限界が存在する。従って，複写機の画像再現能力の限界を超えた孤立した微小なドットが原稿中に存在すると，その複写物では微小なドットを完全には再現できず，孤立した微小なドットの部分が消失する。即ち，偽造抑止地紋の背景部が複写機で再現できるドットの限界を超えるように作成されている場合，偽造抑止地紋の大きなドット(集中したドット)は複写によって再現できるが，小さなドット(分散したドット)は複写によって再現できず，複写原稿に隠された潜像が浮かび上がる。また，複写により背景部の分散したドットが完全に消えなくとも，潜像部の集中したドットと比較してドットの消失の程度が大きければ，複写後に背景部と潜像部で濃度差が発生し，複写原稿において隠された潜像が浮かび上がる。
【０００８】
また，偽造抑止地紋では，潜像として隠されている文字や画像をより判別し難くするために，「カモフラージュ」と言う技術が利用される。このカモフラージュ技術は，潜像部や背景部とは濃度が異なる模様を偽造抑止地紋画像全体に配置する方法であり，マクロ的には一見すると潜像部や背景部とは異なる濃度のカモフラージュ模様が目立ち，潜像が更に目立たなくなる効果がある。つまり，カモフラージュ模様のコントラストが大きく，それに比較して潜像部と背景部のコントラストが小さいため，目の錯覚により潜像がより効果的に隠蔽される。さらに，カモフラージュ模様は印刷物に装飾的な印象を与えることができ，意匠性に優れた偽造抑止地紋を作成することができるといった利点もある。尚，一般的にカモフラージュ模様はドットを発生させるか発生させないかの２値で作成されており，カモフラージュ模様に相当する領域で地紋のドットを発生させないことでカモフラージュ模様を形成している。２値のカモフラージュ模様については，特許文献２に記載されている。以上が偽造抑止地紋の概要である。
【０００９】
図１は，偽造抑止地紋の潜像とカモフラージュ模様の例を示す図である。文字「複」の潜像マスクパターン１０は，その拡大図１０Ｘにも示されるとおり，例えば黒い部分が地紋の潜像部ＬＩに対応し白い部分が地紋の背景部ＢＩに対応する。一方，カモフラージュ模様１２は，その拡大図１２Ｘにも示されるとおり，例えば黒い部分ＣＡＭが地紋のドットが形成されない領域になり，白い部分が地紋のドットが形成される領域になる。
【００１０】
図２は，偽造抑止地紋の原本の例を示す図である。地紋１４は，図１の潜像マスクパターン１０に基づいて潜像部ＬＩと背景部ＢＩとが形成されている。潜像部ＬＩは，ドット集中型ディザ法による低網点線数（５３ｌｐｉ）のドットで形成され，背景部ＢＩは，ドット分散型ディザ法による高網点線数（２１２ｌｐｉ）のドットで形成されている。拡大された地紋１４Ｘから明らかなとおり，地紋全体が一定の出力濃度になっているが，潜像部ＬＩのドットは低い網点線数のスクリーンにより形成されているので大きなドットであり，背景部ＢＩのドットは高い網点線数のスクリーンにより形成されているので微少なドットである。
【００１１】
地紋１６は，図１の潜像マスクパターン１０とカモフラージュ模様１２に基づき，潜像部ＬＩと背景部ＢＩとがカモフラージュ模様の黒い部分ＣＡＭの領域を除いて形成されている。拡大された地紋１６Ｘに示されるとおり，地紋全体は一定の出力濃度であり，カモフラージュ模様の領域ＣＡＭにはドットが形成されず，それ以外の領域では，図１と同様に大きなドットからなる潜像部ＬＩと微少なドットからなる背景部ＢＩとが形成されている。カモフラージュ模様のコントラストが大きいため，コントラストが小さい潜像部ＬＩと背景部ＢＩとで形成される潜像（文字「複」）が目立たない。
【００１２】
図２の偽造抑止地紋の原本は，潜像部ＬＩと背景部ＢＩの出力濃度が同じであるので，それにより形成される潜像「複」が隠蔽される。これを原本における潜像の隠蔽性が高いと称する。
【００１３】
図３は，偽造抑止地紋の複写物の例を示す図である。複写物１８は，複写によるスキャニング工程とドット形成工程とを経て形成され，その拡大図１８Ｘに示されるとおり，潜像部ＬＩの大きなドットはほとんど消失していないが，背景部ＢＩの微少なドットはかなり消失している。その結果，複写物１８において，潜像部ＬＩの出力濃度はほとんど低下しないが，背景部ＢＩの出力濃度はかなり低下し，潜像「複」が浮き上がって見える。つまり，複写物における潜像の識別性が高くなっている。
【００１４】
複写物２０もカモフラージュ模様の領域ＣＡＭを除いて，複写物１８と同様である。背景部ＢＩの出力濃度が低下したことでカモフラージュ模様のコントラストが低下し，潜像「複」が浮き上がって見えている。
【００１５】
図４は，図２の原本の拡大図と図３の複写物の拡大図とを更に拡大した図である。（ａ）原本では，潜像部ＬＩは網点線数が低く面積が大きなドット（網点）で構成され，背景部ＢＩは網点線数が高く微少なドットで構成される。そして，カモフラージュ模様の黒い部分ＣＡＭにはいずれのドットも形成されていない。一方，（ｂ）複写物では，潜像部ＬＩの大きなドット（網点）のサイズはそれほど変化していないのに対して，背景部ＢＩの微少なドットはかなりの数が消失ししている。その結果，複写物では，潜像部ＬＩの出力濃度の低下はほとんどなく，背景部ＢＩの出力濃度の低下は大きく，地紋の潜像「複」が顕在化される。
【特許文献１】特開２００５−１５１４５６号公報
【特許文献２】特開平４−１７０５６９号公報
【発明の開示】
【発明が解決しようとする課題】
【００１６】
上記の通り，偽造抑止地紋は，原本における潜像の隠蔽性が高いことと，複写物における潜像の識別性が高いこととが両立することが求められる。その点，カモフラージュ模様を付加すると原本の隠蔽性を向上させ，印刷物に装飾的なイメージを与え意匠性に優れた偽造抑止地紋を提供することができる。
【００１７】
しかしながら，第１に，地紋にドットを発生させるか発生させないかの２値の情報で構成されたカモフラージュ模様では模様の表現力に乏しい。第２に，図２中のカモフラージュ模様付き地紋１６では，カモフラージュ模様のコントラストが高く潜像が判別しずらく原本の隠蔽性向上には有利に働くが，逆にコントラストが強すぎて本来の画像（印刷文書画像）を合成した場合にカモフラージュ模様が目立ちすぎる問題がある。第３に，図３のカモフラージュ模様なしの複写物１８とカモフラージュ模様ありの複写物２０とを比較すると，潜像「複」においてカモフラージュ模様に対応する領域ＣＡＭでドットが形成されていないので，複写物２０の潜像の識別性が複写物１８より低下している。つまりカモフラージュ模様の存在が複写物での潜像の識別性を低下させている。
【００１８】
上記のように，２値情報で構成されるカモフラージュ模様を利用した場合に，原本の文書の判別性低下を防止し，複写物の潜像の識別性低下を防止することが望まれる。また，カモフラージュ模様の表現力向上も望まれている。さらに，利用者が作成または取得したカラー画像などをカモフラージュ模様に利用できることも望まれている。
【００１９】
そこで，本発明の目的は，カモフラージュ模様の自由度を高くした偽造抑止地紋を生成するプログラム及び装置を提供することにある。
【００２０】
本発明の別の目的は，原本の潜像の隠蔽性を維持しつつ本来の印刷文書画像の判別性低下を防止できるカモフラージュ模様付き偽造抑止地紋を生成するプログラム及び装置を提供することにある。
【００２１】
さらに，本発明の別の目的は，複写物の潜像の識別性低下を防止できるカモフラージュ模様付き偽造地紋を生成するプログラム及び装置を提供することにある。
【課題を解決するための手段】
【００２２】
上記の目的を達成するために，本発明の第１の側面によれば，複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調カモフラージュ模様データの階調値をより低い明度に調整して調整された多階調カモフラージュ模様データを生成する調整工程と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを有する。
【００２３】
上記の第１の側面において，好ましい態様によれば，前記調整工程は，前記多階調カモフラージュ模様データの階調値が所定の基準明度より高いか否か判定する工程を有し，高い場合に前記より低い明度に調整する。
【００２４】
上記の第１の側面において，好ましい態様によれば，前記調整工程では，さらに前記多階調カモフラージュ模様データの階調値について，当該階調値の明暗コントラストを強調するコントラスト強調処理を行う。
【００２５】
上記の第１の側面において，好ましい態様によれば，前記調整工程では，さらに前記多階調カモフラージュ模様データの階調値について，当該カモフラージュ模様のエッジ部分の階調値の明暗コントラストを強調する先鋭化処理を行う。
【００２６】
上記の第１の側面において，好ましい態様によれば，前記潜像部画像データは，前記調整されたカモフラージュ模様データの階調値に対応する位置に複数の第１のドットを形成する画像データであり，前記背景部画像データは，前記調整されたカモフラージュ模様データの階調値に対応する位置に複数の第２のドットを形成する画像データであり，前記潜像部スクリーンは前記第１のドットの中心にドットを集中して形成するドット集中型スクリーンであり，前記背景部スクリーンは前記第２のドットを分散して形成するドット分散型スクリーンである。
【００２７】
上記の第１の側面において，好ましい態様によれば，前記潜像部画像データは，前記調整されたカモフラージュ模様データの階調値に対応する位置に複数の第１のドットを形成する画像データであり，前記背景部画像データは，前記調整されたカモフラージュ模様データの階調値に対応する位置に複数の第２のドットを形成する画像データであり，前記潜像部スクリーンは第１のスクリーン線数を有し，前記背景部スクリーンは前記第１のスクリーン線数より高い第２のスクリーン線数を有する。
【００２８】
上記の目的を達成するために，本発明の第２の側面は，上記第１の側面の地紋画像生成装置である。
【発明を実施するための最良の形態】
【００２９】
以下，図面にしたがって本発明の実施の形態について説明する。但し，本発明の技術的範囲はこれらの実施の形態に限定されず，特許請求の範囲に記載された事項とその均等物まで及ぶものである。
【００３０】
図５は，本実施の形態における地紋画像形成装置を含む印刷システムの構成を示す図である。地紋画像形成装置は，ホストコンピュータ３０にインストールされているプリンタドライバプログラム３２と，潜像部ディザマトリクス３３と，背景部ディザマトリクス３４と，カモフラージュ模様データ３５と，プリンタ４０とで構成される。ホストコンピュータ３０は，ＣＰＵとＲＡＭとアプリケーションプログラム３１とを更に有し，アプリケーションプログラム３１を実行して文字，イメージ，グラフィックスなどからなる画像データ（印刷文書画像データ）を生成する。
【００３１】
さらに，ホストコンピュータ３０は，ユーザからの要求に応答して，プリンタドライバ３２を実行してカモフラージュ模様付き地紋データ３７を生成する。そして，アプリケーション３１が生成した画像データについて，ユーザから印刷要求を受けると，プリンタドライバ３２はプリンタ装置４０が解釈可能なプリンタ制御言語に基づき，画像データ３６の印刷ジョブデータを生成する。もし，印刷要求に，画像データに対して地紋データを付加することが含まれていた場合には、印刷ジョブデータに地紋データ３７を含めてプリンタ４０のインターフェースＩＦに送信する。
【００３２】
画像データ３６は，例えば，ページ記述言語で記述されたデータ，プリンタの中間コードに展開されたデータ，または画素に展開したＲＧＢのビットマップデータなど様々な形態をとりうる。また，カモフラージュ模様付き地紋データ３７は，多階調のカモフラージュ模様の階調データを地紋の入力階調で補正（または変調）した階調データをディザマトリクス３３，３４でスクリーニング処理した画像データである。また，カモフラージュ模様付き地紋データ３７は，プリンタ４０の複数の色材のうち選択された何れかの色の画像データであり，プリンタ４０の色材がＣＭＹＫの４色の場合は，例えばＣＭＫの何れかの色の画像データが好ましい。本実施の形態では，カモフラージュ模様が多階調（３階調以上）であり，カモフラージュ模様の階調データは２ビット以上のバイナリデータである。
【００３３】
一方，プリンタ４０は，画像を生成する印刷エンジン４６と，受信した画像データ３６と地紋データ３７について所定の画像処理を行いさらに印刷エンジン４２の制御を行うコントローラ４１とを有する。コントローラ４１のＣＰＵは，画像形成プログラム４２を実行して，受信した画像データ３６から画素に展開したビットマップデータを生成する。受信した画像データ３６がビットマップデータの形態であればそのビットマップデータがそのまま利用できる。
【００３４】
そして，画像データ３６がＲＧＢの階調値データからなる場合は，色変換ユニット４３がＣＭＹＫの階調値データに色変換する。そして，合成部４４が，色変換された画像データ３６のＣＭＹＫのビットマップデータのうち、地紋の色として選択された色（ＣＭＫのいずれか）のビットマップデータと，地紋データ３７のドットデータとを合成する。（地紋のドット有り，ドット無しを，各々ビットマップの階調値の濃度最大値，濃度最小値に変換して合成する。）この合成は，例えば地紋データ３７の画像に画像データ３６の画像を重ねる処理により行われる。さらに，二値化ユニット４５が地紋データ合成後の画像データのＣＭＹＫの階調値データを画素内のドットのデータに変換し，印刷エンジン４６に出力する。その結果，印刷エンジン４６は，アプリケーションプログラムにより生成された印刷対象の画像とプリンタドライバ３２により生成された地紋画像とを合成した画像を生成する。これが地紋の原本である。
【００３５】
図５の実施の形態では，ホストコンピュータ３０のプリンタドライバ３２が地紋データ３７を生成している。ただし，変型例として，プリンタドライバ３２が、コントローラ４１に地紋とカモフラージュ模様を生成させるために、地紋とカモフラージュ模様生成の指定をするプリントジョブデータを生成し，プリンタ４０のコントローラ４１がプリントジョブデータから潜像部ディザマトリクスと背景部ディザマトリクスとを使用してカモフラージュ模様付き地紋データを生成するようにしても良い。地紋生成用のプリントジョブデータは，複写時に消失するもしくは再現される文字やパターンの指定，地紋の濃度の指定、カモフラージュ模様の指定など，カモフラージュ模様付き地紋データ生成するために必要な情報を含むデータである。
【００３６】
［地紋生成手順の概略］
以下，本実施の形態における地紋画像生成装置による地紋生成方法の概略について説明する。なお，地紋画像生成装置とは，プリンタドライバ３２により地紋画像が生成される場合はホストコンピュータ，画像形成プログラム４２により地紋画像が生成される場合にはプリンタ４０をいう。本実施の形態では，図１，図２と同様に，地紋画像生成装置が，ユーザがデフォルトパターンから選択した潜像マスクパターンまたはユーザが独自に生成した潜像マスクパターンに対応して，潜像部と背景部とからなる地紋画像データを生成する。
【００３７】
図６は，本実施の形態における地紋データの生成手順を示すフローチャート図である。まず，地紋画像生成装置は，潜像マスクパターンデータを生成する（Ｓ１）。潜像マスクパターンデータは，図１に示した文字「複」の潜像マスクパターン１０のデータであり，各画素が潜像部ＬＩか背景部ＢＩかを示すデータ０，１で構成される。そして，地紋画像生成装置は，カラーまたは多階調のカモフラージュ模様データを入力し取得する（Ｓ２）。ユーザにより取得されたカラー写真データやカラーイメージデータなどのカラー画像データや，あらかじめホストコンピュータ３０内のメモリに格納されている複数のカラーのカモフラージュ模様データ３５から選択されたデータが，カラーまたは多階調カモフラージュ模様データとなる。
【００３８】
地紋画像生成装置は，ユーザからの地紋の色の選択入力に応答してカモフラージュ模様の色を設定する（Ｓ３）。地紋の色は，プリンタの色材ＣＭＹＫのうち明度が高いＹを除くＣＭＫ（シアンＣ，マゼンタＭ，ブラックＫ）のいずれかに選択される。地紋画像生成装置は，さらに，カラーのカモフラージュ模様データに含まれる複数色（例えばＲＧＢ）の階調値データから，グレイ階調値データを演算して，モノクロの多階調のカモフラージュ模様データを生成する（Ｓ４）。そして，地紋画像生成装置は，ユーザからの登録指令入力に応答してカラーカモフラージュ模様データまたはグレイ階調値からなる多階調カモフラージュ模様データをメモリに記憶して，カモフラージュ模様の登録を行う（Ｓ５）。
【００３９】
地紋画像生成装置は，上記のグレイデータからなる多階調カモフラージュ模様データの明度が基準値より高い場合は，適切な明度になるように明度を低下させる調整処理を行う（Ｓ６）。ユーザが独自に取得したカラーカモフラージュ模様や多階調カモフラージュ模様の利用を可能にした結果，高い明度の模様を採用する必要が生じる。しかし，模様の明度が高いとカモフラージュ模様付き地紋画像を複写したときに複写物の識別性が低下する。そこで，地紋画像生成装置は，カモフラージュ模様の明度を低下させる調整処理を行う。この調整処理Ｓ６では，多階調カモフラージュ模様の明暗を強調するコントラスト強調処理や，カモフラージュ模様のエッジ部分の明暗を強調する先鋭化処理またはアンシャープ処理などが必要に応じて行われる。
【００４０】
多階調のカモフラージュ模様データは，画素毎に例えば８ビットの階調データで構成され，そのカモフラージュ模様は２階調を超える２５６階調を表現することができる。カモフラージュ模様が多階調化されることで，原本における本来の印刷対象の印刷文書画像の識別性低下を抑制することができ，複写物における潜像の識別性低下も抑制することができる。さらに，多階調のカモフラージュ模様を使用することができるので，意匠性に優れた印刷物を作成することができる。
【００４１】
本実施の形態でのカモフラージュ模様データは，画素毎の８ビット（０：黒〜２５５：白）の階調値データであり，２５６階調で表現されるグレイイメージデータである。カモフラージュ模様は，階調値０（黒）に近いほど出力濃度が低く，階調値２５５（白）に近いほど出力濃度が高く構成されている。そして，カモフラージュ模様の階調値Ａ（Ａ＝０〜２５５）に対して出力される地紋の出力濃度ＤＡは，カモフラージュ模様を付加しない場合の地紋の出力濃度Ｄmaxに対して，
ＤＡ＝（Ａ／２５５）×Ｄmax  （０≦Ａ≦２５５）                      （１）
になる。
【００４２】
よって，カモフラージュ模様の階調値が全て白（Ａ＝２５５）では，カモフラージュ模様付き地紋の出力濃度ＤＡは，ＤＡ＝Ｄmaxとなり，カモフラージュ模様を付加しない地紋と同じ出力濃度になる。つまり，図２中の１６の模様ＣＡＭ以外の領域の出力になる。また，カモフラージュ模様の階調値が２５５（白）に近いほど，地紋の出力濃度Ｄmaxの減少量が小さくなる。一方，カモフラージュ模様の階調値が０（黒）に近いほど，地紋の出力濃度Ｄmaxの減少量が大きくなる。そして，カモフラージュ模様の階調値が全て黒（Ａ＝０）では，カモフラージュ模様付き地紋の出力濃度ＤＡは，ＤＡ＝０になり，地紋のドットは形成されない。つまり，図２中の１６の模様ＣＡＭ内の出力になる。
【００４３】
上記の通り，多階調のカモフラージュ模様を利用することで，地紋の潜像部と背景部とに多階調のカモフラージュ模様が合成されることになり，１ビットからなる２値のカモフラージュ模様データに比較すると，カモフラージュ模様のコントラストを低下させることができる。
【００４４】
上記のカモフラージュ模様を地紋に反映するために，地紋画像生成装置は，潜像部，背景部の入力階調に基づいて補正カモフラージュ模様階調データを生成する（Ｓ７）。潜像部，背景部の入力階調は，地紋画像の出力濃度に対応するものであり，デフォルトで決められた階調値，もしくは，ユーザが任意に選択した地紋画像の出力濃度に対応する階調値である。上記式（１）で示したとおり，カモフラージュ模様付き地紋画像は，潜像部と背景部とからなる地紋画像が多階調のカモフラージュ模様の階調値で変調された画像である。言い換えると，多階調のカモフラージュ模様の階調値が地紋画像の入力階調で変調された画像である。上記の手順Ｓ７は，この変調処理を行ってカモフラージュ模様階調データを生成する手順であり，補正カモフラージュ模様階調データが変調処理された階調データである。
【００４５】
最後に，地紋画像生成装置は，補正カモフラージュ模様階調データを，潜像マスクパターンデータに応じて，潜像部ディザマトリクス３３か背景部ディザマトリクス３４かを参照してスクリーニング処理し，カモフラージュ模様付き偽造抑制地紋データ３７を生成する（Ｓ８）。つまり，潜像部に対応する領域では，潜像部ディザマトリクス３３を参照して地紋の画像データを生成し，背景部に対応する領域では，背景部ディザマトリクス３４を参照して地紋の画像データを生成する。
【００４６】
この潜像部，背景部ディザマトリクス３３，３４は，例えば閾値マトリクス，階調変換マトリクスなどであり，いずれも多階調の画像データに変換可能なディザマトリクスである。ディザマトリクス３３，３４は，ドット面積で多階調を表現するＡＭスクリーンでも良いし，ドット密度で多階調を表現するＦＭスクリーンでもよい。ただし，地紋画像の本来の機能として潜像部と背景部とで複写時に再現される出力濃度が異なる必要があるので，それを実現できるスクリーンであることが求められる。例えば，潜像部、背景部ディザマトリクス３３，３４は、各々スクリーン線数が異なる。または，ドット集中型マトリクスとドット分散型マトリクスである。
【００４７】
以下，本実施の形態におけるカモフラージュ模様付き地紋データの生成手順について詳述する。
【００４８】
［潜像部ディザマトリクスと背景部ディザマトリクス］
潜像部は潜像部ディザマトリクス３３を使用して複数の第１のドットにより所定の出力濃度の画像に形成され，一方，背景部は背景部ディザマトリクス３４を使用して複数の第２のドットにより所定の出力濃度の画像に形成される。原本における潜像の隠蔽性を高くするために，潜像部と背景部とは同等の出力濃度の画像になることが望ましい。
【００４９】
図７は，地紋の背景部ＢＩと潜像部ＬＩの画像を生成するためのディザマトリクスの例を示す図である。図７（ａ）の背景部基本ディザマトリクスＤＭ−ＢＩは，４×４のマトリクスの各要素に閾値１〜８を有するドット分散型ディザマトリクスである。閾値「１」は変位ベクトル（−２，２），（２，２）の位置の要素に割り当てられ，閾値「２」は閾値１の要素と離間した位置に配置され，閾値「３〜８」はそれらの間に配置されている。地紋画像の形成工程で，背景部の入力階調値と背景部基本ディザマトリクスＤＭ−ＢＩの各要素の閾値とが比較され，入力階調値が閾値以上であればその画素にドットが形成される。そして，図７（ａ）の背景部基本ディザマトリクスＤＭ−ＢＩに対しては，入力階調値が「１」に設定され，閾値「１」の黒い画素の位置に第２のドットＤ２が形成される。その拡大図が図４（ａ）の背景部ＢＩに示され，背景部ＢＩは微少ドットＤ２が網点線数２１２ｌｐｉで形成されている。
【００５０】
一方，図７（ｂ）の潜像部基本ディザマトリクスＤＭ−ＬＩは，３２×３２のマトリクスの各要素の閾値１〜１２８を有するドット集中型ディザマトリクスである。閾値「１」は変位ベクトル（−８，８）（８，８）の位置の画素に割り当てられ，第１のドット（網点）Ｄ１の中心位置に対応する。また，閾値「２〜１２８」は第１のドット（網点）Ｄ１の中心位置に対応する閾値「１」の画素から順に分配されている。地紋画像の形成工程で，潜像部の入力階調値と潜像部基本ディザマトリクスＤＭ−ＬＩの各画素の閾値が比較され，入力階調値が閾値以上であればその画素にドットが形成される。図７（ｂ）の潜像部基本ディザマトリクスＤＭ−ＬＩに対しては，入力階調値「３１」が設定され，閾値「１〜３１」の要素の位置にドットが形成され，大きなドット（網点）Ｄ１が形成される。その拡大図が図４（ａ）の潜像部ＬＩに示され，大きなドットＤ１が網点線数５３ｌｐｉで形成されている。
【００５１】
前述のとおり，偽造抑止地紋は，原本において背景部と潜像部の出力濃度を等しくして潜像の隠蔽性を高く保つことが求められている。また，複写物においては背景部と潜像部の出力濃度の違いを大きくし且つ潜像部の出力濃度を高くして，潜像の識別性を高くすることが求められる。大きな第１のドットＤ１は複写物で消失しにくく，一方，小さな第２のドットＤ２は複写物で消失しやすい。これにより潜像部と背景部とで複写時の出力濃度が異なる。
【００５２】
しかしながら，図７に示すディザマトリクスＤＭ−ＢＩ，ＤＭ−ＬＩにより形成される画像は，地紋に使われる低い出力濃度領域，例えば１０〜１５％の出力濃度領域では，出力濃度の階調数（分解能）に限りがある。背景部の基本ディザマトリクスＤＭ−ＢＩでは，閾値「１」の位置に微少ドットＤ２が形成されるので，それに対応する出力濃度で背景部が形成される。それに対して，潜像部の形成工程では，背景部の出力濃度と同じ出力濃度を生成できる入力階調値が選択され，その入力階調値と潜像部基本ディザマトリクスＤＭ−ＬＩとの比較により潜像部の画像が形成される。しかし，前述のとおり潜像部ＬＩの出力濃度の階調数（分解能）に限りがあるので，かならずしも背景部の出力濃度と一致する出力濃度を潜像部ＬＩに形成することができない場合がある。
【００５３】
図８は，背景部基本ディザマトリクスＤＭ−ＢＩ及び潜像部基本ディザマトリクスＤＭ−ＬＩの入力階調と出力濃度の特性を示す図である。図８に示された特性は，簡単のために，基本ディザマトリクスにおいて入力階調以下の閾値の画素に形成されるドットの数と，プリンタエンジンにより生成される地紋画像の出力濃度とが理想的なリニアな関係にあると仮定している。
【００５４】
地紋画像生成装置が，潜像部ディザマトリクス３３として図７（ｂ）に示した潜像部基本ディザマトリクスＤＭ−ＬＩを，背景部ディザマトリクス３４として図７（ａ）に示した背景部基本ディザマトリクスＤＭ−ＢＩを使用した場合，入力階調値とそれに対応する潜像部画像データ及び背景部画像データによる出力濃度の特性は，図８に示されるとおりである。すなわち，背景部の場合は，入力階調値ＩＮ＝０〜７に対して出力濃度ＯＵＴは「０」も含めると８つの出力濃度値をとりうる。つまり，全ての画素がドットｏｆｆの紙白から全ての画素がドットｏｎの最大出力濃度までの出力濃度の階調数（または分解能）は８である。そして，図７（ａ）に示したとおり，背景部では入力階調値ＩＮ＝１に対して，ディザマトリクスＤＭ−ＢＩの閾値「１」の画素の位置に分散した微少の第２ドットＤ２の画像になる。それに対して，潜像部の場合は，入力階調値ＩＮ＝０〜１２７に対して出力濃度ＯＵＴは「０」も含めると１２８の出力濃度値をとりうる。つまり，紙白から最大出力濃度までの出力濃度の階調数（または分解能）は１２８である。
【００５５】
しかしながら，背景部で入力階調ＩＮ＝１に対応する出力濃度は，潜像部で入力階調Ｉｎ＝１２，１３に対応する２つの出力濃度の中間に位置している。そのため，背景部と潜像部とで等しい出力濃度にすることができない。
【００５６】
地紋画像として採用される出力濃度の範囲は，最大出力濃度の１０％〜１５％である。そして，１０〜１５％の出力濃度の範囲では，潜像部基本ディザマトリクスにより再現可能な出力濃度の階調数は高々２０階調程度である。そのため，潜像部の入力階調値を１段階変更することにより調整可能な出力濃度の変化量が一定以上に大きくなるので，潜像部ディザマトリクスの網点線数を低くして潜像部の出力濃度の階調数を多くしたとしても，潜像部の出力濃度を背景部の出力濃度に高精度に一致させることは困難または不可能である。
【００５７】
さらに，背景部基本ディザマトリクスのサイズを２倍または４倍に大きくして背景部の出力濃度の階調数を増加させて，１０〜１５％の範囲内で地紋画像の出力濃度変更を可能にした場合も，上記と同様の理由により背景部の出力濃度と潜像部の出力濃度とを高精度に一致させることは困難または不可能である。
【００５８】
図９は，原本における潜像の隠蔽性が悪化した例を示す図である。図９（ａ）の潜像マスクパターン「複写」について，図９（ｂ）は潜像部の入力階調値を「１２」にした場合の地紋画像，図９（ｂ）は潜像部の入力階調値を「１３」にした場合の地紋画像を示す。図９（ｂ）では，潜像マスクパターンの出力濃度が背景部より低くなり，潜像「複写」の隠蔽性が低下している。同様に，図９（ｃ）では，潜像マスクパターンの出力濃度が背景部より高くなり，同様に潜像「複写」の隠蔽性が低下している。
【００５９】
そこで，本実施の形態では，背景部ディザマトリクスと潜像部ディザマトリクスについて，図７の基本ディザマトリクスをもとに生成され，入力階調値０〜２５５に対して出力濃度が例えば０〜１５％程度の低濃度領域内で増加する特性をもつディザマトリクスを採用する。
【００６０】
図１０，図１１は，本実施の形態で採用される潜像部の低濃度領域拡張ディザマトリクス３３と背景部の低濃度領域拡張ディザマトリクス３４を示す図である。そして，図１２は，それら潜像部ディザマトリクス３３と背景部ディザマトリクス３４の入力階調値に対する出力濃度特性を示す図である。
【００６１】
図７の基本ディザマトリクスＤＭ−ＢＩ，ＤＭ−ＬＩを十分な階調数になるまでサイズを拡大する。例えば，１２８×１２８のマトリクスサイズまで拡大する。ただし，図１０，図１１には，便宜上３２×３２のマトリクスサイズが示されている。そして，拡大したディザマトリクスの全ての閾値について，入力階調値の増大に対応してドットを生成させる順に全ての閾値が異なるように分散及び拡散して配置する。これを拡散ディザマトリクスと称する。
【００６２】
次に，拡散ディザマトリクスを使用して複数の入力階調値に対する背景部と潜像部とをプリンタにより印刷し，測色器で出力濃度を測定する。この出力濃度の測定結果を基に入力階調０〜２５５に対して理想的な出力濃度特性，例えばリニアな特性，になるように閾値を補正する。この補正は，通常行われるスクリーンガンマテーブルのキャリブレーション工程で行われる補正と同様である。この結果，補正拡散ディザマトリクスが生成される。
【００６３】
そして，最後に，最大出力濃度の１５％程度が最大値になるように，補正拡散ディザマトリクスの閾値を１５／１００倍して低濃度領域拡張ディザマトリクス３３，３４を生成する。つまり，低濃度領域拡張ディザマトリクスによりスクリーニング処理を行えば，入力階調０〜２５５に対して，出力濃度が最大で１５％程度までしか増加しない出力濃度特性を有する。
【００６４】
図１０の潜像部の低濃度領域拡張ディザマトリクス３３では，変位ベクトル（−８，８），（８，８）の位置の要素には閾値１〜７が与えられ，その周りのグレイの要素に閾値８〜２５４が与えられている。つまり，黒とグレイの画素は，第１のドットＤ１の最大サイズに対応する。そして，それ以外の要素には閾値２５５が与えられている。この場合，入力階調０〜２５４に対してはそれ以下の閾値の画素にドットが生成されるが，便宜上，入力階調２５５に対してはその閾値の画素はドットｏｆｆに制御される。若しくは，背景部において入力階調２５５が禁止される。
【００６５】
よって，潜像部の低濃度領域拡張ディザマトリクス３３を使用することにより，潜像部の画像は，入力階調０〜２５５に対して，第１のドットＤ１が変位ベクトル（−８，８），（８，８）の位置の要素による最小サイズから，黒とグレイの要素による最大サイズまで変化する。第１のドットＤ１が最大サイズでの出力濃度は黒ベタの１５％であるので，入力階調０〜２５５に対して出力濃度は０〜１５％と変化する。よって，出力濃度０〜１５％の範囲に多くの階調数（２５４階調）を有する。
【００６６】
図７（ｂ）の潜像部基本ディザマトリクスＤＭ−ＬＩには，最大サイズの第１のドットＤ１が生成される要素には閾値１〜３１が与えられている。それに対して，図１０の潜像部の低濃度領域拡張ディザマトリクス３３には，最大サイズの第１のドットＤ１が生成される要素には閾値１〜２５４が与えられている。つまり，出力濃度の階調数（分解能）が格段に多くなっている。よって，濃度調整における分解能が高くなり潜像部の出力濃度を背景部と同じ出力濃度に高精度に調整することができる。
【００６７】
図１１の背景部の低濃度領域拡張ディザマトリクス３４は，変位ベクトル（−２，２），（２，２）の位置の要素に閾値１〜２５４が分散して与えられ，それ以外の要素には閾値２５５が与えられる。この場合も，入力階調０〜２５４に対してはそれ以下の閾値の要素に対応する画素にドットが生成されるが，便宜上，入力階調２５５に対してはその閾値の画素はドットｏｆｆに制御される。若しくは，背景部において入力階調２５５が禁止される。
【００６８】
この背景部の低濃度領域拡張ディザマトリクス３４を使用すれば，入力階調値０〜２５５に対して，変位ベクトル（−２，２），（２，２）の位置の画素にのみ微少ドットＤ２が順次生成し，それ以外の画素にはドットは生成しない。よって，背景部の画像は，網点線数２１２ｌｐｉの位置に分散された微少ドットＤ２を有するだけであり，それ以上のドットは形成されない。変位ベクトル（−２，２），（２，２）の位置の画素全てに微少ドットＤ２が生成された時の出力濃度は黒ベタの約１２％である。つまり，背景部の低濃度領域拡張ディザマトリクス３４は，入力階調０〜２５５に対して，出力濃度は０〜約１２％の範囲内で増減する。その結果，背景部の特性を最も引き出せるような安定した微少ドットの配置が保証される。
【００６９】
図１０，図１１の低濃度領域拡張ディザマトリクス３３，３４の入力階調値に対する出力濃度特性が，図１２に示されている。上述したとおり，背景部のディザマトリクス３４の入力階調値に対する出力濃度特性は，入力階調０〜２５５に対して出力濃度は０〜約１２％の範囲になる。一方，潜像部のディザマトリクス３３の入力階調値に対する出力濃度特性は，入力階調０〜２５５に対して出力濃度は０〜１５％の範囲になる。いずれも，キャリブレーションにより入力階調値に対して出力濃度は単純増加のリニアな関係になっている。
【００７０】
以上が，本実施の形態における背景部と潜像部のディザマトリクス３３，３４の説明である。
【００７１】
［地紋画像データの生成方法］
以下，本実施の形態における多階調カモフラージュ模様付きの地紋画像データの生成方法について説明する。
【００７２】
図１３は，本実施の形態における地紋画像データの生成方法を示すフローチャート図である。プリンタユーザは，ホストコンピュータ３０のプリンタドライバ３２において，地紋生成メニューを選択し，図１３のフローチャートに従って地紋画像データの生成を実行する。
【００７３】
ユーザが独自に潜像マスクパターンを生成する場合、まず，ユーザは，地紋の文言を入力する（Ｓ１０）。例えば，「複写」「コピー」「社外秘」などの文言であり，この文言が地紋の潜像になる。さらに，４８ポイントなどの地紋文言のサイズを入力し（Ｓ１１），４０度などの地紋文言の角度を入力し（Ｓ１２），地紋効果と配置を選択する（Ｓ１３）。地紋効果とは，文言が白抜きになるか（文言が白，周囲が黒）浮きだしになるか（文言が黒，周囲が白）のいずれかである。白抜きの場合は文言が背景部に周囲が潜像部になり，浮きだしの場合は文言が潜像部に周囲が背景部になる。また，地紋の配置とは，正方配置，斜交配置，反転配置などである。
【００７４】
図１４は，地紋効果の例を示す図である。地紋パターン５０，５１は，文言が「複写」「コピー」で文言が浮きだしになる地紋効果の例である。地紋パターン５２，５３は，同じ文言で文言が白抜きになる地紋効果の例である。いずれも文言の角度が４０度に設定されている。
【００７５】
図１５は，地紋の配置の例を示す図である。いずれも文言が「複写」，角度が４０度，地紋効果が浮きだしである。（ａ）正方配置では，潜像マスクパターンがタイル状に貼り付けられる。（ｂ）斜交配置では，潜像マスクパターンが改行のたびに所定の位相だけずらして配置される。（ｃ）反転配置では，潜像マスクパターンが改行のたびに上下反転して配置される。
【００７６】
工程Ｓ１０〜Ｓ１３によりユーザによる入力または選択が終わると，プリンタドライバ３２は潜像マスクパターンを生成する（Ｓ１４）。潜像マスクパターンの例は，図１４に示したとおり，潜像部領域と背景部領域とを区別可能な１ビットデータからなる。
【００７７】
ユーザがデフォルトの潜像マスクパターンを使用する場合は、Ｓ１０〜Ｓ１４は省略され、ユーザによる潜像マスクパターンの選択がされる。
【００７８】
次に，プリンタドライバ３２は，地紋画像の入力階調値を設定する（Ｓ１６）。図１０，図１１に示した潜像部ディザマトリクス３３，背景部ディザマトリクス３４を使用する場合は，背景部は入力階調値を最大値の「２５５」に，潜像部は背景部の出力濃度（黒ベタの１２％）と一致する入力階調値Ｉｎ＝１７０が選ばれる。すなわち，背景部では，入力階調値を「２５５」にすることで背景部ディザマトリクス３４（図１１）の変位ベクトル（−２，２），（２，２）の位置の黒い画素全てに微少ドットＤ２が生成される。この時の出力濃度は黒ベタの１２％であり，分散された第２の微少ドットが最大限生成されるので，地紋画像としては最適である。一方，潜像部では，入力階調値Ｉｎ＝１７０にすることで，潜像部ディザマトリクス３３（図１０）の黒い要素とグレイの要素に対応する画素で構成される網点領域内に，Ｉｎ＝１７０に対応する数のドットが生成される。その結果，入力階調値Ｉｎ＝１７０に対応するサイズの大ドットＤ１が形成される。
【００７９】
図１２の出力濃度特性に示したとおり，図１０，１１の潜像部ディザマトリクス３３，背景部ディザマトリクス３４は，入力階調に対する出力濃度特性が異なっている。つまり，潜像部ディザマトリクスのほうが入力階調に対する出力濃度の傾きが大きい。よって，背景部において最適な出力画像を再生できる入力階調「２５５」を選択した場合，それと出力濃度が一致する入力階調Ｉｎ＝１７０が潜像部において選択される。
【００８０】
プリンタドライバ３２は，ユーザの選択要求に応じて，カラーまたは多階調のカモフラージュ模様データを取得する（Ｓ１７）。ホストコンピュータ内のメモリ，または外付けメモリ内にカラーまたは多階調のカモフラージュ模様データが格納されており，ユーザの選択要求に応じて，カラーまたは多階調のカモフラージュ模様データを取得する。そして，選択されたカラーまたは多階調のカモフラージュ模様データがメモリに記憶され，登録される。
【００８１】
図１６は，カモフラージュ模様の一例とそれを採用した地紋画像の例を示す図である。カモフラージュ模様５４は，複数の矩形領域の組み合わせからなり，各矩形領域の階調値Ａは，図１６に示される通りである。このような多階調のカモフラージュ模様を選択した場合の地紋画像５５が示されている。この地紋画像５５は，前述した式（１）により，地紋画像の出力濃度Ｄmax（例えばＤmax＝４０％）がＡ／２５５倍されている。このように，カモフラージュ模様がより黒い領域では，地紋画像の出力濃度がより低下し，カモフラージュ模様がより白い領域では，地紋画像の出力濃度の低下はより少ない。
【００８２】
図１７は，メモリに格納されているカモフラージュ模様の例である。図１７には１０種類のカモフラージュ模様５４が示されている。ただし，（１）は黒べた（階調値＝０）であるので，このカモフラージュ模様を採用すると地紋画像は白ベタになる。
【００８３】
カモフラージュ模様の階調値Ａは，前述のとおりグレイデータである。カモフラージュ模様がＲＧＢのカラー画像データの場合は，グレイの階調値Ａは以下の式（２）により求められる。
【００８４】
Ａ＝０．３×Ｒ＋０．５９×Ｇ＋０．１１Ｂ                      （２）
カモフラージュ模様データのグレイ階調値を，黒で「０」，白で「２５５」と定義した結果，カモフラージュ模様データによるカモフラージュ模様画像と，地紋に反映されるカモフラージュ模様画像とは，白黒が反転した画像になる。よって，ユーザが地紋に反映された状態でカモフラージュ模様を選択可能にするために，プリンタドライバ３２は，選択画面において，白黒反転したカモフラージュ模様の画像を表示することが望ましい。白黒反転画像の画像データの階調値Ｋは，以下の式（３）により求められる。
【００８５】
Ｋ＝２５５−Ａ                                                （３）
さらに，プリンタドライバ３２は，ユーザの選択要求に応じて，地紋の色（ブラック，シアン，マゼンタなど）の選択を行う（Ｓ１８）。地紋の色は，単色であることが望ましい。それに伴い，ＣＭＫいずれか単色のカモフラージュ模様データの階調値は，前述のとおりグレイデータの階調値Ａを反転した式（３）の階調値Ｋにする。この理由は，加法混色表示のＲＧＢと減法混色表示のＣＭＹＫとの違いによる。後述する潜像部や背景部の閾値ディザマトリクスの閾値との比較は，この階調値Ｋもしくは補正カモフラージュ模様階調の階調値ついて行われる。
【００８６】
次に，プリンタドライバ３２は，カモフラージュ模様の調整を行う（Ｓ１９）。本実施の形態では，ユーザが写真撮影などにより取得した任意のカラーまたは多階調カモフラージュ模様の利用を可能にしている。そのため，それらカモフラージュ模様の明度が高すぎるなど地紋画像と合成するのに適切でない画質の模様も存在する。よって，カモフラージュ模様の明度やコントラストさらにエッジのシャープさを調整する処理が必要になる。調整後のカモフラージュ模様データまたは調整に必要なパラメータのいずれかがメモリに記憶される。調整処理については後に詳述する。
【００８７】
以上のユーザによる入力などＳ１０〜Ｓ１９が終了すると，プリンタドライバ３２は地紋画像生成処理を実行する（Ｓ２０）。地紋画像生成処理は，図１８のフローチャートに従って行われる。
【００８８】
図１８は，本実施の形態における地紋画像生成処理のフローチャート図である。つまり，図１３の地紋画像生成処理Ｓ２０が，図１８のフローチャートに示されている。まず，潜像部及び背景部の入力階調値に基づいて調整済カモフラージュ模様データの階調値を補正して補正カモフラージュ模様データを生成する（Ｓ２１）。この手順は，図６の手順Ｓ７に対応する。
【００８９】
調整済カモフラージュ模様の階調値Ａ（０≦Ａ≦２５５），地紋を構成する潜像部と背景部の入力階調値Ｉｎ（１≦Ｉｎ≦２５４）とする。まず，調整済カモフラージュ模様の階調値Ａを減法混色の階調値Ｋ（＝２５５−Ａ）に変換する。そして，補正カモフラージュ模様の階調値Ｋｉは，以下の式（４）により演算される。
【００９０】
Ｋｉ＝（Ｋ／２５５）×Ｉｎ                                （４）
この演算式は，前述の式（１）に対応している。
【００９１】
図１３の地紋画像の入力階調値を設定する工程Ｓ１６で，背景部では入力階調値を「２５５」に設定し，潜像部では入力階調値をＩｎ＝１７０と設定した。このように背景部と潜像部とで異なる入力階調値を設定した場合，上記式（４）による補正カモフラージュ模様階調データの演算で，潜像マスクパターンに応じて，潜像部と背景部とで変調すべき入力階調値Ｉｎを異ならせることが必要になる。この理由は，図１２に示したとおり，潜像部ディザマトリクス３３と背景部ディザマトリクス３４とが異なる出力濃度特性を有することに起因する。
【００９２】
そこで，本実施の形態では，演算を簡単化するために，潜像部と背景部の両方で入力階調値をＩｎ＝１７０に共通化する。ただし，背景部ディザマトリクス３４を入力階調値Ｉｎ＝１７０で最大出力濃度（１２％）になるように正規化し，正規化された背景部ディザマトリクスを参照してスクリーニング処理を行う。
【００９３】
もしくは，後述する実施の形態の変形例（図２７参照）で説明するように，潜像部と背景部の両方で入力階調値を取りうる階調値の最大値（例えば２５５）にし，但し，潜像部ディザマトリクス３３を入力階調値「２５５」で入力階調値Ｉｎ＝１７０に対応する出力濃度（１２％）になるように正規化する。つまり，図１０，１２の潜像部ディザマトリクスの入力階調値０〜１７０とその出力濃度の特性が，入力階調値０〜２５５に正規化される。正規化された潜像部ディザマトリクスの入出力特性が後述する図２７に示されている。
【００９４】
以下は，入力階調値Ｉｎ＝１７０に設定した場合について説明する。工程Ｓ２１で，入力階調値Ｉｎ＝１７０について式（４）に基づき補正カモフラージュ模様の階調値データが演算される。そして，プリンタドライバ３２は，図１１，１２の背景部ディザマトリクス３４を正規化して正規化背景部ディザマトリクスを生成する（Ｓ２２）。
【００９５】
図１９は，正規化背景部ディザマトリクス３４Ｎを示す図である。図１１の背景部ディザマトリクス３４の変位ベクトル（−２，２），（２，２）の位置の黒い画素内の閾値０〜２５４を，以下の式（５）により新たな閾値０〜１７０（＝Ｉｎ）に正規化する。
【００９６】
正規化閾値＝（閾値／２５４）×Ｉｎ                  （５）
よって，図１９の正規化背景部ディザマトリクス３４Ｎでは，黒い画素内の閾値は０〜１７０に置き換えられ，入力階調値が「１７０」の時に全ての黒い画素にドットが形成され最大出力濃度（黒ベタの１２％）になる。
【００９７】
図２０は，正規化背景部ディザマトリクスと正規化前の背景部ディザマトリクスと潜像部ディザマトリクスそれぞれの入力・出力濃度特性を示す図である。背景部ディザマトリクス３４と潜像部ディザマトリクス３３の出力濃度特性は，図１２と同じである。前述の例では，背景部では変位ベクトル上の要素に対応する画素全てにドットを生成する入力階調値「２５５」が採用され，潜像部ではそれと同じ出力濃度を再生できる入力階調値Ｉｎ＝１７０が採用された。そこで，背景部でも入力階調値Ｉｎ＝１７０を採用するために，背景部ディザマトリクス３４を入力階調値Ｉｎ＝１７０で正規化して，図２０中の破線の特性３４Ｎに示される正規化背景部ディザマトリクス３４Ｎを生成する。上記式（５）による演算により正規化背景ディザマトリクス３４Ｎは簡単に演算することができる。
【００９８】
エンジンの経年変化に応じて，潜像部の入力階調値Ｉｎが変動する場合がある。よって，変動時の入力階調値Ｉｎを使用して正規化背景ディザマトリクス３４Ｎを生成することで，経年変化を吸収することができる。
【００９９】
図１８に戻り，補正カモフラージュ模様階調データについて，潜像マスクパターンに応じて，潜像部ディザマトリクス３３または正規化背景部ディザマトリクス３４Ｎを参照して，カモフラージュ模様付き地紋画像データを生成する（Ｓ２３〜Ｓ３２）。このカモフラージュ模様付き地紋画像データは，画素毎にドット有りまたはドットなしを示す画像データである。
【０１００】
図２１は，図１８の地紋画像生成処理を説明する図である。図２１（Ａ）には，Ａ４の印刷サイズ６０に複数の潜像マスクパターン１０が正方配置された地紋画像が示されている。Ａ４サイズの場合は，横方向に４７２０ドットの画素数，縦方向に６７７６ドットの画素数になる。図２１（Ｂ）は，図２１（Ａ）の左上の潜像マスクパターン１０と，タイル状に配置されたカモフラージュ模様１２との位置関係が示されている。潜像マスクパターン１０は横方向に２０３０ドットの画素数，縦方向に２０３０ドットの画素数を有する正方形のパターンである。それに対して，図２１（Ｃ）に示されるとおり，カモフラージュ模様１２は横方向に２１５ドット，縦方向に２１５ドットの画素数を有する正方形パターンである。
【０１０１】
図２１（Ｄ）は，図３０（Ｃ）の左上端部領域を拡大したものである。潜像部ディザマトリクス３３−４及び背景部ディザマトリクス３４−５は，共に，３２×３２のマトリクスであり，左上から順番にタイル状に貼り付けるように画素に対応させる。このように，潜像部と背景部のディザマトリクス３３−４，３４−５は，同じマトリクスサイズであるので，図２１（Ｄ）に示されるとおり画素との対応関係は全く一致する。
【０１０２】
そして，プリンタドライバは，補正カモフラージュ模様の階調値Ｋｉと，ディザマトリクス３３−４，３４−５の閾値とを比較し，階調値Ｋｉが閾値以上であれば画素ドットＯＮ，階調値Ｋｉが閾値未満であれば画素ドットＯＦＦにする。ただし，補正カモフラージュ模様の階調値Ｋｉは０〜２５４までしか取りえないように設定されている。若しくは，入力階調値が２５５の場合は一律画素ドットＯＦＦにする。比較対象のディザマトリクスは，潜像マスクパターンの黒または白に対応して選択される。
【０１０３】
図１８のフローチャートに戻って，地紋画像生成処理を説明する。画素のインデックスｉ，ｊをそれぞれｉ＝０，ｊ＝０に初期化する（Ｓ２３）。そして，画素（ｉ，ｊ）で潜像マスクパターンが黒なら（Ｓ２８のＹＥＳ）潜像部ディザマトリクス３３の対応する画素の閾値と補正カモフラージュ模様階調値Ｋｉとが比較され（Ｓ２９），潜像部マスクパターンが黒でないなら（Ｓ２８のＮＯ）正規化背景部ディザマトリクス３４Ｎの対応する画素の閾値と補正階調値Ｉｎとが比較される（Ｓ３１）。いずれの比較でも補正階調値Ｋｉが閾値以上の場合は出力画像（ｉ，ｊ）はドットＯＮになり（Ｓ３０），補正階調値Ｋｉが閾値未満の場合は出力画像（ｉ，ｊ）はドットＯＦＦになる（Ｓ３２）。
【０１０４】
これにより，潜像部では補正カモフラージュ模様階調値Ｋｉに対応したサイズの第１のドット（網点）が生成され，背景部では補正階調値Ｋｉに対応した数の第２のドットが対応した位置の画素に生成される。
【０１０５】
上記の処理が完了すると，画素の行方向のインデックスｊがインクリメント（ｊ＝ｊ＋１）され（Ｓ２４），インデックスｊが印刷サイズ幅に達するまで（Ｓ２５）同じ処理が繰り返される。インデックスｊが印刷サイズ幅に達すると（Ｓ２５のＹＥＳ），列方向のインデックスｉがインクリメント（ｉ＝ｉ＋１）され且つ行方向のインデックスｊが０にリセットされ（Ｓ２６），同じ処理が繰り返される。そして，列方向のインデックスｉが印刷サイズ高さに達すると（Ｓ２７のＹＥＳ），１頁の地紋画像生成処理が完了する。このように処理対象画素は左上からラスタスキャン方向に移動し，各画素がドットＯＮかＯＦＦにされる。
【０１０６】
以上の処理により，多階調のカモフラージュ模様を反映した地紋画像データが生成される。
【０１０７】
［具体例］
本実施の形態における多階調カモフラージュ模様付き地紋画像の生成を，具体例を示して説明する。
【０１０８】
図２２は，潜像マスクパターンの一例を示す図である。３２×３２のマトリクス内に潜像マスクパターン１０が形成されている。パターン１０Ａが潜像部，パターン１０Ａ以外が背景部に対応する。よって，潜像マスクパターンのマトリクスデータは，３２×３２マトリクスの各画素に「０」（潜像部）または「１」（背景部）の１ビットを有する。
【０１０９】
図２３は，カモフラージュ模様の一例を示す図である。このカモフラージュ模様１２は，３２×３２のマトリクス内の画素が９つのストライプ状の領域１２Ａ〜１２Ｉを有する。各領域１２Ａ〜１２Ｉの階調値Ｋは，図示されるとおりである。つまり，領域１２Ａ，１２Ｅ，１２Ｉが階調値「２５５」の白の領域であり，領域１２Ｂ，１２Ｈが階調値「６４」と最も黒に近い領域である。
【０１１０】
図２４は，補正カモフラージュ模様階調値の一例を示す図である。この補正カモフラージュ模様階調値データ１２０は，前述の式（４）により求められる。この例では，地紋画像の入力階調値Ｉｎ＝１７０に基づいて，図２３のカモフラージュ模様を補正して得られた階調値データである。図２４中には，潜像マスクパターン１０Ａをグレイで示し，カモフラージュ模様の領域１２Ａ〜１２Ｉが破線で区分して示されている。図２３に示したカモフラージュ模様の階調値Ｋに対して，補正カモフラージュ模様の階調値Ｋｉが図２４中に示されている。
【０１１１】
図２５は，カモフラージュ模様付き地紋画像の一例を示す図である。これは，図２４に示した補正カモフラージュ模様の階調値Ｋｉについて，図１０，図１９，図２０の潜像部ディザマトリクス３３と正規化背景部ディザマトリクス３４Ｎを参照してスクリーン処理した結果得られた地紋画像１６である。図中，カモフラージュ模様の領域１２Ａ〜１２Ｉが一点鎖線で示され，潜像マスクパターン１０Ａが破線で示されている。
【０１１２】
潜像マスクパターン１０Ａ内においては，領域１２Ｅでは補正階調Ｋｉ＝１７０に対する第１のドットＤ１が，領域１２Ｄ，１２Ｃ，１２Ｆ，１２Ｇでも補正階調Ｋｉ＝１２８，８５に対する第１のドットＤ１が形成されている。潜像マスクパターン１０Ａの外側においては，領域１２Ａでは補正階調Ｋｉ＝１７０に対する第２のドットＤ２が全ての変位ベクトル上に形成され，それ以外の領域１２Ｂ，１２Ｃ，１２Ｄ，１２Ｆ，１２Ｇ，１２Ｈでも，それぞれ補正階調Ｋｉ＝４３，８５，１２８，１２８，８５，４３に対する第２のドットＤ２が形成されている。
【０１１３】
図２５の地紋画像に示されるとおり，多階調のカモフラージュ模様を採用することにより，地紋画像にカモフラージュ模様の階調値に対応した密度またはサイズのドットが形成されている。
【０１１４】
図２６は，従来の２階調のカモフラージュ模様の場合の地紋画像の一例を示す。従来の２階調のカモフラージュ模様では，ドット有りの領域１２Ａ，１２Ｅ，１２Ｉと，ドットなしの領域１２Ｘ，１２Ｙしか存在していない。つまり，中間階調の領域１２Ｂ，１２Ｃ，１２Ｄ，１２Ｆ，１２Ｇ，１２Ｈは存在しない。よって，領域１２Ｘ，１２Ｙでは，ドットが全く形成されていない。
【０１１５】
［変型例］
図２７は，本実施の形態の変型例における背景部ディザマトリクスと正規化潜像部ディザマトリクスの入力・出力濃度特性を示す図である。前述の実施の形態では，図２０に示した正規化背景部ディザマトリクス３４Ｎと潜像部ディザマトリクス３３とを参照してスクリーン処理を行った。図２７は，背景部ディザマトリクス３４は図１２と同じであるが，正規化潜像部ディザマトリクス３３Ｎは，入力階調値「１７０」に対する出力濃度（１２％）が最大入力階調値「２５５」になるように正規化されている。
【０１１６】
正規化の演算式は，以下の式（６）（７）の通りである。
【０１１７】
正規化閾値＝（閾値／Ｉｎ）×２５４    （１≦閾値≦Ｉｎ）              （６）
正規化閾値＝２５５                    （ｉｆ  Ｉｎ＜閾値）            （７）
すなわち，図１０の潜像部ディザマトリクス３３内の閾値１〜Ｉｎ（＝１７０）は，正規化閾値１〜２５４に変換され，閾値Ｉｎ〜２５４は正規化閾値「２５５」に変換される。これにより，階調値Ｋｉに対して出力濃度が０〜１２％の範囲の画像データを生成することになる。
【０１１８】
図２７の背景部ディザマトリクス３４と正規化潜像部ディザマトリクス３３Ｎを使用する場合は，地紋画像の入力階調値ＩｎはＩｎ＝２５５に設定される。つまり，地紋画像は背景部と潜像部が共に出力濃度１２％になる。その結果，前述の式（４）は，Ｉｎ＝２５５では
Ｋｉ＝（Ｋ／２５５）×Ｉｎ＝Ｋ
となり，補正後のカモフラージュ模様の階調値Ｋｉは補正前のカモフラージュ模様の階調値Ｋと等しくなる。
【０１１９】
つまり，補正カモフラージュ模様の階調値を演算する工程（図６のＳ３，図１８のＳ２１）が不要になる。そして，補正後のカモフラージュ模様の階調値Ａｉは最大の階調レンジ０〜２５５のいずれかになる。よって，カモフラージュ模様の多階調表現を最大限に生かすことができる。
【０１２０】
ただし，潜像部ディザマトリクス３３Ｎと背景部ディザマトリクス３４とが，入力階調値の取りうる範囲０〜２５５に対する出力濃度の特性が一致していて，地紋画像の潜像部及び背景部の入力階調値Ｉｎが潜像部ディザマトリクスと背景部ディザマトリクスの入力階調値の取りうる範囲内で最大の入力階調値「２５５」であることが必要になる。逆に言えば，潜像部と背景部のディザマトリクスを上記のように最大入力階調値Ｉｎ＝２５５で最適な出力濃度になるように設計しておけば，カモフラージュ模様の階調値について潜像マスクパターンに応じてそれらディザマトリクスを参照するハーフトーン処理することで，多階調のカモフラージュ模様付き地紋画像を生成することができる。
【０１２１】
図２０の正規化ディザマトリクス３４Ｎ，図２７の正規化ディザマトリクス３３Ｎは，工場出荷時のエンジン特性に基づいて生成されたものが採用される。ただし，エンジンの出力濃度特性が経年変化する場合は，適宜のタイミングでもしくは地紋画像を生成するときに，その都度正規化されることが望ましい。
【０１２２】
［実験例］
図２８は，多階調カモフラージュ模様の実験例を示す図である。この多階調のカモフラージュ模様１２は中間階調を有する。ただし，前述のとおり地紋画像に反映されるときは白黒反転したカモフラージュ模様１３のようになる。１２Ｘ，１３Ｘはそれぞれ拡大図である。
【０１２３】
図２９は，図２８の多階調カモフラージュ模様を反映させた地紋画像の原本と複写物の実験例を示す図である。図３０はその拡大図１６Ｘ，２０Ｘをより拡大した図である。図２９（ａ）の原本１６に示されるとおり，多階調のカモフラージュ模様はコントラストが抑制されるので，本来の印刷文書画像の判別性を損なうことが少ない。また，図２９（ｂ）の複写物２０に示されるとおり，多階調のカモフラージュ模様により複写物において潜像「複」がより忠実に再現され，複写物での潜像の識別性を高めることができる。図２の原本１６と図３の複写物２０と対比することで，上記の効果がより明確に理解できる。
【０１２４】
以上説明したとおり，本実施の形態によれば，多階調のカモフラージュ模様を利用することにより，立体的な模様も表現することができ，カモフラージュ模様の表現力と自由度を大幅に向上することができる。また，カモフラージュ模様のコントラストを低下させるように調整することができ，印刷文書画像と合成した場合にカモフラージュ模様により判別性が低下することは少ない。さらに，地紋画像の複写物においては，潜像部と背景部の両方でカモフラージュ模様の階調値に対応してドットを残すことができるので，複写物における潜像「複」の識別性を高めることができる。
【０１２５】
［任意のカラーまたは多階調のカモフラージュ模様］
本実施の形態では，ユーザが写真撮影やコンピュータグラフィックスにより任意に取得したカラーまたは多階調のカモフラージュ模様を登録可能にし，それを地紋に合成可能にする。プリンタにこのようなカモフラージュ模様機能を搭載することで，カモフラージュ模様の自由度が上がりユーザの利便性が高くなる。
【０１２６】
ただし，カモフラージュ模様の自由度を高くすることに伴って，地紋画像に適さない模様の登録を要求されることがあり，任意のカラーまたは多階調のカモフラージュ模様データを受け入れ可能にするために所定の処理が求められる。以下，任意のカラーのカモフラージュ模様を受け入れ可能にした場合の予想される問題点について説明する。
【０１２７】
まず，以下に示すカモフラージュ模様付き地紋画像の生成に用いられた背景部と潜像部のスクリーンに対応するディザマトリクスの一例を説明する。これらの背景部および潜像部のディザマトリクスの入力階調値と出力濃度の特性は，図２７に示したディザマトリクス３４，３３Ｎと同じであり，地紋画像の入力階調値Ｉｎ＝２５５にし，潜像部ディザマトリクス３３Ｎが正規化された閾値マトリクスである。
【０１２８】
図３１は，背景部ディザマトリクス３４を示す図である。この背景部ディザマトリクス３４は，図７（ａ）と同様に，小さいドットＤ２−１，Ｄ２−２を分散させた高いスクリーン線数（７１ｌｐｉ）のドット分散型ディザマトリクスである。ただし，図７（ａ）と異なり，背景部ディザマトリクス３４は２４×２４のマトリクスであり，生成される小さいドットには，４画素からなる比較的大きい小ドットＤ２−１と，１画素からなる比較的小さい小ドットＤ２−２とがある。小ドットの中に比較的大きい小ドットＤ２−１を生成可能にすることで，背景部に小ドットを安定的に発生させることが可能になる。ただし，小ドットＤ２−１，Ｄ２−２はいずれも後述する潜像部の大ドットＤ１に比較すると面積が小さいので，複写時に消失する程度は潜像部の大ドットＤ１より大きい。
【０１２９】
また，この背景部ディザマトリクス３４は，図２７（ａ）に示した入力階調値Ｉｎに対する出力濃度特性と同じ特性を有している。すなわち，入力階調値Ｉｎ＝０〜２５５に対して，出力濃度が黒べたの０〜１２％の濃度範囲になっている。
【０１３０】
図３２は，潜像部ディザマトリクス３３Ｎを示す図である。この潜像部ディザマトリクス３３Ｎは，大ドットＤ１を生成する低いスクリーン線数（５３ｌｐｉ）のドット集中型ディザマトリクスである。また，この潜像部ディザマトリクス３３Ｎは，図１０に示した低濃度領域拡張ディザマトリクス３３を図２７（ｂ）に示した正規化して得た閾値マトリクスである。よって，この潜像部ディザマトリクス３３Ｎの入力階調値Ｉｎに対する出力濃度特性は，入力階調値Ｉｎ＝０〜２５５に対して，出力濃度が黒ベタの０〜１２％になっている。この特性は図３１の背景部ディザマトリクス３４と同じである。さらに，潜像部ディザマトリクス３３Ｎにより生成される大ドットＤ１の大きさは，図２７（ｂ）のように正規化したことで，図１０のドットよりも小さくなっている。ただし，潜像部の大ドットＤ１は，図３１の背景部の小ドットＤ２−１，Ｄ２−２よりも大きいので，背景部と比較すると，地紋画像複写時のドットの消失は少なく濃度変化も少ない。
【０１３１】
図３３は，任意のカラーカモフラージュ模様を使用した場合の地紋画像例（１）を示す図である。この例では，文字「複写」の潜像パターン１０１は，黒い部分が潜像部，白い部分が背景部にそれぞれ設定されている。また，カラーカモフラージュ模様１２１はカラーの風景写真データが採用されている。このカラーカモフラージュ模様１２１は，空の部分などが比較的明るい画像である。そして，図３３には，地紋画像原本１６１と地紋画像複写物２０１とが示されている。
【０１３２】
本実施の形態では，カラーのカモフラージュ模様データが登録されると，前述の式（２）によりグレイ階調値Ａを求め，地紋の入力階調値ＩｎをＩｎ＝２５５とし，グレイ階調値Ａを反転させた階調値Ｋから，前述の式（４）により補正階調値Ｋｉ（＝Ｋ）を求め，その階調値Ｋｉを図３１，図３２のディザマトリクスの閾値と比較してドットの有無を生成し，カモフラージュ模様付き地紋画像データを生成する。
【０１３３】
また，モノクロの多階調のカモフラージュ模様データが登録されると，そのグレイ階調値Ａを反転させた階調値Ｋを地紋の入力階調値Ｉｎ＝２５５に基づいて式（４）により補正階調値Ｋｉを求め，その階調値Ｋｉを図３１，図３２のディザマトリクスの閾値と比較してドットの有無を生成し，カモフラージュ模様付き地紋画像データを生成する。
【０１３４】
図３３の地紋画像原本１６１では，カモフラージュ模様を使用しているので潜像「複写」の隠蔽性が高く，多階調のカモフラージュ模様であるのでコントラストは低く，本来の印刷文書画像の判別性は低下しない。しかしながら，カモフラージュ模様の一部の領域の明度が高すぎるため，地紋画像原本１６１の拡大図１６１Ｘに示されるとおり，潜像部と背景部の両方で発生するドットサイズが小さくなっている。つまり，潜像部に大きなドットが発生していない。その結果，地紋画像複写物２０１の拡大図２０１Ｘに示されるとおり，潜像部と背景部のドットの消失の程度が同等になり，潜像部と背景部との間の濃度差が抑制され，複写物２０１における潜像「複写」の識別性が低下している。
【０１３５】
図３４は，任意のカラーカモフラージュ模様を使用した場合の地紋画像例（２）を示す図である。この例でも，図３４と同じ潜像パターン１０１が使用されている。ただし，カラーカモフラージュ模様１２２は，全体的に暗い風景画像であり全体的にコントラストが小さい。明度が低いカモフラージュ模様１２２であるので，地紋画像原本１６２では，拡大図１６２Ｘに示されるとおり，背景部では多くの小ドットが発生し潜像部では大きなドットが発生している。そのため，地紋画像複写物２０２では，ドットサイズの違いに応じて，背景部の濃度低下が大きく潜像部の濃度低下は少ない。つまり，地紋画像複写物２０２の潜像「複写」の識別性が高くなっている。
【０１３６】
しかしながら，図３４の地紋画像原本１６１では，カモフラージュ模様１２２のコントラストが弱いので，地紋画像原本の潜像「複写」の隠蔽性が低下している。さらに，コントラストの弱いカモフラージュ模様は，地紋原本の意匠性の観点からも好ましくない印象を与える。
【０１３７】
本実施の形態では，図３３，３４の問題点を解決するもので，任意のカラーまたは多階調カモフラージュ模様を使用する場合に，地紋原本の高い隠蔽性，カモフラージュ模様の高い意匠性，地紋複写物の高い識別性を備えた最適な地紋画質を提供する。
【０１３８】
図６と図１３で説明したとおり，本実施の形態では，任意のカラーまたは多階調カモフラージュ模様の使用を許可することに対応して，プリンタドライバ３２は，カラーデータをグレイデータに変換する機能（Ｓ４）と，カモフラージュ模様の調整機能（Ｓ６，Ｓ１９）を有する。このカモフラージュ模様の調整機能は，（１）カモフラージュ模様の明度が基準値より高い場合に明度を低下させる機能と，（２）カモフラージュ模様の全体のコントラストを高める機能と，（３）カモフラージュ模様のエッジ部分のコントラストを高める機能（または先鋭化機能，アンシャープ機能）とを有する。この機能（２）（３）はカモフラージュ模様の画像種類に応じて選択される。或いはユーザによる調整パラメータの指定により選択される。
【０１３９】
図３５は，明度の低下と全体のコントラストを高める機能を説明する図である。上記の（１）の機能と（２）の機能の説明である。前述のとおり，カラーまたは多階調のカモフラージュ模様は，最適な地紋画質を得るためには，明度がある程度低いことが望まれる。ただし，明度が低いだけでは地紋原本におけるカモフラージュ模様の明度差が少なくなりがちであり，コントラストが弱くなりがちで，カモフラージュ模様が目立たなくなる。つまり，明度の低下は，地紋原本の意匠性を損ない地紋原本の潜像の隠蔽性を低下させる。そこで，地紋原本の意匠性向上と隠蔽性向上のためには，カモフラージュ模様のコントラストを高める調整が求められる。
【０１４０】
地紋画質向上のためのカモフラージュ模様の調整として，以下の式（９）によりコントラスト補正を行い，さらに式（８）により明度低下補正を行う。
【０１４１】
【数１】
0004434282.tif 000002
【０１４２】
図３５（ａ）は，式（８）の明度低下補正テーブルを示し，図３５（ｂ）は，式（９）のコントラスト補正テーブルを示す。いずれも，横軸が入力グレイ階調値Gray（前述のグレイ階調値Ａと等価），縦軸が変換後の出力グレイ階調値Grayである。上記の式（９）において，グレイ階調値Grayに対して，コントラストパラメータＣ（０≦Ｃ≦５０）により定義されるコントラスト指数ｆａ，変曲点ｘ１，ｘ２に基づき，高いグレイ階調値はより高く，低いグレイ階調値はより低く補正される。コントラストパラメータＣ＝５０では最も強くコントラスト補正が行われ，コントラストパラメータＣが大きいほどより強くコントラストが補正される。また，コントラストパラメータＣ＝０では，入力と出力とがリニアな関係になり，コントラスト補正は行われない。式（９）によれば，入力グレイ階調値Grayが０〜ｘ１では３次曲線により階調値変換が行われ，グレイ階調値Grayがｘ１〜ｘ２では傾きｆａの一次直線により階調値変換が行われ，グレイ階調値Grayがｘ２〜２５５では３次曲線により階調値変換が行われる。
【０１４３】
式（９）によりコントラスト補正された階調値Gray_Cが，式（８）により明度低下補正され，コントラスト補正と明度補正された階調値Gray_Vが求められる。明度パラメータＶ＝１００の時は明度低下補正されず，明度パラメータＶが小さいほど明度がより低く補正され，明度パラメータＶ＝４０で４０％に明度が補正される。
【０１４４】
図３５（ｃ）は，コントラストパラメータＣと明度パラメータＶとをある値に設定した場合の，コントラスト補正と明度低下補正を同時に行う合成階調変換テーブルを示す。図中，Ｃ＝１０，Ｖ＝８０の場合の変換テーブルと，Ｃ＝３０，Ｖ＝５５の場合の変換テーブルとが示されている。Ｃ＝０にすることでコントラスト補正なしに，Ｖ＝０にすることで明度低下補正なしに，それぞれ設定することができる。
【０１４５】
図３６は，全体のコントラスト補正と明度補正を行ったカモフラージュ模様データとそれを使用した地紋画像とを示す図である。この例は，図３３で登録したカラーカモフラージュ模様データを，図３５（ｃ）のＣ＝３０，Ｖ＝５５の合成階調変換テーブルで調整して，カモフラージュ模様付き地紋画像を生成している。すなわち，カラーカモフラージュ模様データは，グレイ階調値Grayに変換され，Ｃ＝３０，Ｖ＝５５の合成階調変換テーブルで階調値変換され（Gray_V），調整されたカモフラージュ模様１２３が生成される。このカモフラージュ模様１２３は，全体に明度が低く補正され，全体のコントラストが強められている。
【０１４６】
このカモフラージュ模様１２３のグレイ階調値Gray_Vを階調値Ｋ（＝２５５−Gray_V）に反転し，階調値Ｋを地紋画像の入力階調値Ｉｎ＝２５５で補正（Ｋｉ＝（Ｋ／２５５）×Ｉｎ）し，補正した階調値Ｋｉを図３１，３２の背景部，潜像部ディザマトリクス３４，３３Ｎの閾値と比較して原本の地紋画像１６３を生成している。
【０１４７】
地紋原本１６３は，カモフラージュ模様１２３のコントラストが強められているので，全体に暗くても識別性があり，潜像の隠蔽性が高められており，意匠性も優れている。さらに，地紋複写物２０３は，カモフラージュ模様１２３の明度が全体的に低く補正されているので，潜像部では背景部の小ドットより大きなドットが形成され，複写時の濃度変化が潜像部と背景部とでより大きく異なり，地紋複写物２０３での潜像「複写」の識別性が高くなっている。
【０１４８】
ただし，地紋原本１６３でのカモフラージュ模様の意匠性や潜像の隠蔽性は，図３４の地紋原本１６２と同等であり，もっと改良することが望まれる。
【０１４９】
そこで，第２のカモフラージュ模様の調整方法は，前述の（１）の明度低下の機能と（３）のカモフラージュ模様のエッジ部分のコントラストを高める機能（または先鋭化機能，アンシャープ機能）とを使用する。
【０１５０】
図３７は，カモフラージュ模様のエッジ部分のコントラストを高める機能を説明する図である。上記の（３）の機能を説明する図である。前述のカモフラージュ模様全体のコントラスト補正は，処理は簡単ではあるが，補正により明るい領域と暗い領域とで階調数が少なくなり，逆にコントラストを損なってしまう領域が発生する。そこで，（３）の機能により画像の特徴部分であるエッジ部分の明暗コントラストを強調することで，カモフラージュ模様をより適切に調整することができる。
【０１５１】
すなわち，人間の目は，画像の明度が大きく変化するエッジ部分に対して感度が高く，明度の変化が平坦な部分に対しては感度が低い特性を持っている。そこで，多階調カモフラージュ模様についてエッジ部分のコントラストを強調すると，人間の目には地紋原本のカモフラージュ模様のコントラストが高く見えて地紋原本における潜像の隠蔽性を高めることができる。さらに，カモフラージュ模様のエッジ部分を強調することは，カモフラージュ模様の特徴をより忠実に再現することになるので，意匠性向上にもつながる。
【０１５２】
具体的には，グレイのカモフラージュ模様のある注目画素について，注目画素が周囲の領域に対してどの程度異なっているかを検出し，その差分を強調することで，エッジ領域を強調，すなわち先鋭化する。この先鋭化の演算式は，以下のとおりである。
【０１５３】
【数２】
0004434282.tif 000003
【０１５４】
上記の式（１０）によれば，図３７（ａ）に示したとおり，明度低下補正を行った階調値Gray_Vについて，注目画素Gray_V(i,j)の階調値と，その周囲の７×７の画素の階調値の平均meanとの差分を求め，それを強調パラメータSTRENGTHに従って強調（乗算）し，元の階調値Gray_V(i,j)に加算する。また，上記の式（１１）は平均値を求める式である。これらの演算により，図３７（ｂ）に示したとおり，エッジ部分において，エッジ両側の低い階調値の画素はより低い階調値に，高い階調値の画素はより高い階調値に変換され，エッジの明暗コントラストが強調される。図３７（ｂ）の横軸は画像のｘ，ｙ方向を，縦軸は画像の明度をそれぞれ示している。
【０１５５】
上記の演算式において，周囲の領域の大きさを示すパラメータAREAを大きくすることで，エッジの周りの領域をぼかすことができ，強調パラメータSTRENGTHを大きくしなくても自然に先鋭化を実現できる。なお，地紋画像形成で使用されるスクリーン線数は比較的低いので解像度が低く，パラメータAREAを大きくしてエッジの周囲の領域がぼけたとしても地紋画像の画質低下にはならない。
【０１５６】
なお，上記の先鋭化処理は，アンシャープ処理とも称されている。例えば，「おはなし  カラー画像処理」ＣＱ出版社，洪博哲著には，アンシャープマスキングについて詳述されている。
【０１５７】
図３８は，エッジ部分のコントラスト強調（先鋭化）と明度補正を行ったカモフラージュ模様データとそれを使用した地紋画像とを示す図である。この例では，図３３で登録したカラーカモフラージュ模様データを，図３５（ｃ）のＶ＝６０，Ｃ＝０の合成階調変換テーブルで調整して，カモフラージュ模様付き地紋画像を生成している。すなわち，カラーカモフラージュ模様データは，グレイ階調値Grayに変換され，Ｃ＝０，Ｖ＝６０の合成階調変換テーブルで階調値変換され（Gray_V），ＡＲＥＡ＝２５，ＳＴＲＥＮＧＴＨ＝２で先鋭化処理（エッジ部分のコントラスト強調処理）を行って，調整されたカモフラージュ模様１２４が生成される。このカモフラージュ模様１２４は，全体に明度が低く補正され，且つエッジ部分のみコントラストが強められている。
【０１５８】
このカモフラージュ模様１２４のグレイ階調値Gray_Vを階調値Ｋ（＝２５５−Gray_V）に反転し，階調値Ｋを地紋画像の入力階調値Ｉｎ＝２５５で補正（Ｋｉ＝（Gray_V／２５５）×Ｉｎ）し，補正した階調値Ｋｉを図３１，３２の背景部，潜像部ディザマトリクス３４，３３Ｎの閾値と比較して原本の地紋画像１６４を生成している。
【０１５９】
図３８の地紋原本１６４では，図３６と比較すると低階調領域および高階調領域での階調のつぶれ（階調数の低下）がなく意匠性が優れており，カモフラージュ模様のエッジ部分が強調されているので地紋原本１６４の潜像の隠蔽性が向上している。さらに，明度を低下させているので，地紋の複写物２０４では潜像の識別性が高くなっている。よって，総合的には，図３６よりも優れた地紋画質を提供することができる。
【０１６０】
上記の，（１）明度低下補正に加えて，（２）全体のコントラストを強調する補正，または（３）エッジ部分のコントラストを強調する補正のいずれかを選択することが望ましい。その場合，カモフラージュ模様の画像種類に応じて，（２）または（３）のいずれかを選択するとよい。例えば，カモフラージュ模様に人物の顔が含まれる場合や，滑らかな階調をもったコンピュータグラフィックにより生成された画像が含まれる場合は，（３）のエッジ部分のコントラスト強調は好ましくないので，（２）の全体のコントラスト強調が好ましい。一方，上記のようにカモフラージュ模様に風景画像が含まれる場合は，（３）のエッジ部分のコントラスト強調が好ましい。
【０１６１】
［カモフラージュ模様の調整工程］
本実施の形態では，ユーザが任意に取得したカラーまたは多階調カモフラージュ模様を登録して地紋画像に合成することを許可する。それに伴い，登録されるカラーまたは多階調カモフラージュ模様について，潜像部と背景部とで構成される地紋画像との整合性を担保することが求められる。カモフラージュ模様の調整工程は，このような整合性を担保するために，自動調整機能とマニュアル調整機能とを有する。
【０１６２】
図３９は，カモフラージュ模様の調整工程を示すフローチャート図である。図６の工程Ｓ６と図１３の工程Ｓ１９の調整工程に対応し，自動調整工程が示されている。さらに，図４０は，プリンタドライバの地紋設定画面を示す図であり，図４１〜４３は，プリンタドライバのカモフラージュ模様調整工程における画面を示す図である。これらの図を参照しながら，図３９の調整工程について以下説明する。
【０１６３】
図４０の地紋設定画面１５０において，図１３の工程Ｓ１０〜Ｓ１３に対応して，地紋文言を選択し（図中１５２または１５３），地紋文言サイズ，角度，効果，配置などを選択し（図示せず），さらに地紋画像の入力階調値Ｉｎを選択し（図中１５４），地紋の色を選択（図中１５５）する。その結果，プリンタドライバは，潜像マスクパターンを生成し，選択された入力階調値と地紋の色に基づいて地紋画像を生成し，地紋画像表示部１５１に表示する。ユーザは，この地紋画像表示部１５１に表示された地紋画像を目視で確認して，設定を終了する場合は「ＯＫ」ボタン１５７をクリックする。また，ユーザは，カモフラージュ模様を追加する場合は，カモフラージュ模様設定ボタン１５６をクリックする。それに応答して，プリンタドライバは，図４１のカモフラージュ模様の設定画面６０を表示する。
【０１６４】
図４１のカモフラージュ模様の設定画面６０において，カラーまたは多階調のカモフラージュ模様が選択される（図中６３，６４）。プルダウンボックス６３には、プリンタドライバにすでに登録ずみのカモフラージュ模様が一覧表示されユーザはこの中からカモフラージュ模様を選択することができる。
【０１６５】
さらに、ユーザがあらたにカモフラージュ模様を登録したいときには、図５に示したホストコンピュータ３０内のメモリに格納されている模様データファイルから行われる。プルダウンボックス６４から模様データファイルが格納されているフォルダ、選択対象の模様データのファイル名を選択することで、登録したいカモフラージュ模様を選択できる。プルダウンボックスで登録したいファイルが選択されたのち、ユーザの登録ボタン６７のクリックに応答して，プリンタドライバは選択されたカモフラージュ模様データをプリンタドライバに登録ずみの模様としてメモリに記憶する。このときファイル名に任意の模様名（プルダウンボックス６３で表示される名称）をユーザが付けることができるようにしてもよい。
【０１６６】
図４１では「松本城」が選択されている。この模様の選択に応答して，オリジナル模様画像表示部６１に選択されたカラーまたは多階調のカモフラージュ模様が表示される。そして，ユーザの登録ボタン６７のクリックに応答して，プリンタドライバは選択されたカモフラージュ模様データをメモリに記憶する。この記憶されるカモフラージュ模様データは，図６の工程Ｓ４，Ｓ５のように，グレイ階調値データであってもよい。その場合は，プリンタドライバが選択されたカラーのカモフラージュ模様データを式（２）に基づいて，グレイ階調値を演算し，そのグレイ階調値による多階調カモフラージュ模様データを記憶する。
【０１６７】
さらに，図４１のカモフラージュ模様の設定画面６０において，自動調整ボタン６５またはマニュアル調整ボタン６６のいずれかをクリックすることで，選択されたカモフラージュ模様の明度やコントラストが調整される。
【０１６８】
自動調整ボタン６５がクリックされると，図４２にカモフラージュ模様の自動調整画面８０が表示される。図３９のフローチャートにしたがい，そして，ユーザはカモフラージュ模様に人物の顔の画像が存在するか否かについて画像種類選択ボタン８１で回答し，ＯＫボタン８２をクリックする（Ｓ４１）。これに応答して，プリンタドライバは，自動調整処理を実行する。まず，プリンタドライバは，選択されたカモフラージュ模様のグレイ階調値を演算する（Ｓ４２）。登録済のカモフラージュ模様データがグレイ階調値の場合はこの演算は不要である。
【０１６９】
そして，プリンタドライバは，グレイ階調値データの平均階調値を演算し（Ｓ４３），明度低下処理が必要な程度明るい模様か否かを判定する（Ｓ４４）。この平均階調値の演算と判定では，カモフラージュ模様の全ての画素のグレイ階調値の平均値を求め，その平均値が黒ベタの２５％濃度（基準値）以上か否かが判定される。または，全ての画素のグレイ階調値が，黒ベタの２５％以上の画素の数と２５％未満の画素の数とを求め，２５％以上の画素数が２５％未満の画素数より多いか否かが判定される。明るいと判定された場合は（Ｓ４４のＹＥＳ），明度低下処理が必要であるので，明度パラメータＶはＶ＝６０に設定される。一方，明るいと判定されない場合は（Ｓ４４のＮＯ），明度低下処理は不要であり，明度パラメータＶはＶ＝１００に設定される。
【０１７０】
さらに，カモフラージュ模様に人物が含まれている場合は（Ｓ４７のＹＥＳ），模様画像全体のコントラストを調整する処理が望ましいので，プリンタドライバは，コントラストパラメータＣをＣ＝３０に設定し（Ｓ４８），Ｖ＝６０，Ｃ＝３０の階調値変換テーブルを参照して，階調値変換を行う（Ｓ４９）。これにより，明度低下処理とコントラスト強調処理が行われる。人物画像に対してエッジ部分のコントラストを強調する先鋭化処理を行うことは，人物画像の画質が低下するので好ましくない。
【０１７１】
一方，カモフラージュ模様に人物が含まれていない場合は（Ｓ４７のＮＯ），エッジ部分のコントラストを強調する先鋭化処理を行うことが望ましいので，プリンタドライバは，コントラストパラメータＣをＣ＝０に設定し（Ｓ５０），Ｖ＝６０，Ｃ＝０の階調変換テーブルを参照して，階調値変換を行う（Ｓ５１）。これにより，明度低下処理が行われ，全体のコントラスト強調処理は行われない。さらに，プリンタドライバは，先鋭化パラメータをＡＲＥＡ＝２５，ＳＴＲＥＮＧＴＨ＝２に設定し（Ｓ５２），先鋭化処理を行う（Ｓ５３）。そして，調整済模様画像表示部６２に，調整されたカモフラージュ模様画像が表示される。
【０１７２】
図４２のカモフラージュ模様の自動調整画面８０にてＯＫボタン８２がクリックされると，図４１のカモフラージュ模様設定画面６０に戻る。その画面６０では，調整済模様画像表示部６２に調整済のカモフラージュ模様画像が表示されている。その表示状態で，登録ボタン６７がクリックされると，それに応答して，プリンタドライバは，調整された多階調カモフラージュ模様データまたは調整工程で使用した調整パラメータを保存する（Ｓ５４）。
【０１７３】
上記のカモフラージュ模様の画像種類の入力は，人物画像が含まれるか否か以外に，滑らかな階調変化をもつコンピュータグラフィックス画像が含まれるか否かであってもよい。いずれにしても，カモフラージュ模様の全ての画素についてコントラスト強調処理をするのに不向きな画像か否かをユーザから入力させることが必要である。
【０１７４】
図４１のカモフラージュ模様設定画面６０でマニュアル調整ボタン６６がクリックされると，それに応答して，プリンタドライバは，図４３のカモフラージュ模様のマニュアル調整画面９０を表示する。マニュアル調整画面９０は，明度，コントラスト設定部９１と，先鋭化処理設定部９２とを有する。ユーザは，明度，コントラスト設定部９１で，明度パラメータＣ，コントラストパラメータＶを自由に設定することができる。さらに，ユーザは，先鋭化処理設定部９２で，先鋭化処理パラメータＡＲＥＡ，ＳＴＲＥＮＧＴＨを自由に設定することができる。これらの設定に応答して，プリンタドライバは，調整処理を行い，調整済のカモフラージュ模様画像を表示部６２に表示する。ユーザは，この表示部６２のカモフラージュ模様画像を確認し，適正と判断すれば，ＯＫボタン９３をクリックする。このクリックに応答して，プリンタドライバは，図６０のカモフラージュ模様設定画面６０に戻り，調整済模様画像表示部６２に調整済のカモフラージュ模様画像を表示する。そして，その状態で登録ボタン６７がクリックされると，それに応答して，プリンタドライバは，調整された多階調カモフラージュ模様データまたは調整工程で使用した調整パラメータを保存する（Ｓ５４）。
【０１７５】
以上のカモフラージュ模様の調整工程が終わると，図４０の地紋設定画面５０において，地紋画像表示部５１にカモフラージュ模様が反映された地紋画像が表示される。そして，画面５０でＯＫボタン５７がクリックされると地紋設定工程が終了する。設定された地紋に加えられたカモフラージュ模様は，明度とコントラストが調整されているので，ユーザが任意に取得したカラーまたは多階調カモフラージュ模様であっても，地紋の原本のカモフラージュ模様による意匠性を高め，地紋の原本の隠蔽性を高め，地紋の複写物の識別性を高めることができる。
【０１７６】
以上，本実施の形態をまとめると以下の通りである。
【０１７７】
（付記１）複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調のカモフラージュ模様データを入力し，当該入力された多階調カモフラージュ模様データをメモリに記憶するカモフラージュ模様登録工程と，
前記多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを有する
ことを特徴とするコンピュータ読み取り可能な地紋画像生成プログラム。
【０１７８】
（付記２）複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
カラーのカモフラージュ模様データに含まれる複数色の階調値をグレイ階調値に変換してグレイ階調値データを生成するグレイ階調値生成工程と，
前記グレイ階調値データのグレイ階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを有する
ことを特徴とするコンピュータ読み取り可能な地紋画像生成プログラム。
【０１７９】
（付記３）複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調カモフラージュ模様データの階調値をより低い明度に調整して調整された多階調カモフラージュ模様データを生成する調整工程と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを
有することを特徴とするコンピュータ読み取り可能な地紋画像生成プログラム。
【０１８０】
（付記４）複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調カモフラージュ模様データを入力し，当該多階調カモフラージュ模様データの画像種類の指定に応答して，前記画像種類が第１の画像種類の場合に，多階調カモフラージュ模様データの階調値をより低い明度に調整し当該模様画像の全ての画素で明暗コントラストを強調する第１の調整を行い，前記画像種類が第２の画像種類の場合に，多階調カモフラージュ模様データの階調値をより低い明度に調整し当該模様画像のエッジ部分の明暗コントラストを強調する第２の調整を行い，当該調整された多階調カモフラージュ模様データを生成する調整工程と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを
有することを特徴とするコンピュータ読み取り可能な地紋画像生成プログラム。
【０１８１】
（付記５）複写時に再現される出力濃度が異なる潜像部と背景部とで構成される地紋画像データを生成する地紋画像生成工程をコンピュータに実行させる地紋画像生成プログラムにおいて，
前記地紋画像生成工程は，
多階調カモフラージュ模様データを入力し，当該多階調カモフラージュ模様データの明度パラメータ，コントラストパラメータ，先鋭化パラメータのいずれかの設定に応答して，前記明度パラメータに基づいて前記多階調カモフラージュ模様データの階調値の明度を低下させる明度低下処理と，前記コントラストパラメータに基づいて前記多階調カモフラージュ模様データの全体の階調値の明暗コントラストを強調するコントラスト強調処理と，前記先鋭化パラメータに基づいて前記多階調カモフラージュ模様データのエッジ部分の明暗コントラストとを強調する先鋭化処理のいずれかの処理を行い，当該調整された多階調カモフラージュ模様データを生成する調整工程と，
前記調整された多階調カモフラージュ模様データの階調値について，前記潜像部に対応する領域では潜像部スクリーンに基づいて潜像部画像データを生成し，前記背景部に対応する領域では背景部スクリーンに基づいて背景部画像データを生成する地紋画像データ生成工程とを
有することを特徴とするコンピュータ読み取り可能な地紋画像生成プログラム。
【図面の簡単な説明】
【０１８２】
【図１】偽造抑止地紋の潜像とカモフラージュ模様の例を示す図である。
【図２】偽造抑止地紋の原本の例を示す図である。
【図３】偽造抑止地紋の複写物の例を示す図である。
【図４】図２の原本の拡大図と図３の複写物の拡大図とを更に拡大した図である。
【図５】本実施の形態における地紋画像形成装置の構成を示す図である。
【図６】本実施の形態における地紋データの生成手順を示すフローチャート図である。
【図７】地紋の背景部ＢＩと潜像部ＬＩの画像を生成するためのディザマトリクスの例を示す図である。
【図８】背景部基本ディザマトリクスＤＭ−ＢＩ及び潜像部基本ディザマトリクスＤＭ−ＬＩの入力階調と出力濃度の特性を示す図である。
【図９】第１の実施の形態における背景部ディザマトリクスと潜像部ディザマトリクスの入力階調値に対する出力濃度の特性を示す図である。
【図１０】本実施の形態で採用される潜像部の低濃度領域拡張ディザマトリクス３３を示す図である。
【図１１】本実施の形態で採用される背景部の低濃度領域拡張ディザマトリクス３４を示す図である。
【図１２】潜像部ディザマトリクス３３と背景部ディザマトリクス３４の入力階調値に対する出力濃度特性を示す図である。
【図１３】本実施の形態における地紋画像データの生成方法を示すフローチャート図である。
【図１４】地紋効果の例を示す図である。
【図１５】地紋の配置の例を示す図である。
【図１６】カモフラージュ模様の一例とそれを採用した地紋画像の例を示す図である。
【図１７】メモリに格納されているカモフラージュ模様の例である。
【図１８】本実施の形態における地紋画像生成処理のフローチャート図である。
【図１９】正規化背景部ディザマトリクス３４Ｎを示す図である。
【図２０】正規化背景部ディザマトリクスと正規化前の背景部ディザマトリクスと潜像部ディザマトリクスの入力・出力濃度特性を示す図である。
【図２１】図１８の地紋画像生成処理を説明する図である。
【図２２】潜像マスクパターンの一例を示す図である。
【図２３】カモフラージュ模様の一例を示す図である。
【図２４】補正カモフラージュ模様階調値の一例を示す図である。
【図２５】カモフラージュ模様付き地紋画像の一例を示す図である。
【図２６】従来の２階調のカモフラージュ模様の場合の地紋画像の一例を示す。
【図２７】本実施の形態の変型例における背景部ディザマトリクスと正規化潜像部ディザマトリクスの入力・出力濃度特性を示す図である。
【図２８】多階調カモフラージュ模様の実験例を示す図である。
【図２９】図２８の多階調カモフラージュ模様を反映させた地紋画像の原本と複写物の実験例を示す図である。
【図３０】図２９の拡大図１４Ｘ，１６Ｘをより拡大した図である。
【図３１】背景部ディザマトリクス３４を示す図である。
【図３２】潜像部ディザマトリクス３３Ｎを示す図である。
【図３３】任意のカラーカモフラージュ模様を使用した場合の地紋画像例（１）を示す図である。
【図３４】任意のカラーカモフラージュ模様を使用した場合の地紋画像例（２）を示す図である。
【図３５】明度の低下と全体のコントラストを高める機能を説明する図である。
【図３６】全体のコントラスト補正と明度補正を行ったカモフラージュ模様データとそれを使用した地紋画像とを示す図である。
【図３７】明度の低下とカモフラージュ模様のエッジ部分のコントラストを高める機能を説明する図である。
【図３８】エッジ部分のコントラスト強調（先鋭化）と明度補正を行ったカモフラージュ模様データとそれを使用した地紋画像とを示す図である。
【図３９】カモフラージュ模様の調整工程を示すフローチャート図である。
【図４０】プリンタドライバの地紋設定画面を示す図である。
【図４１】プリンタドライバのカモフラージュ模様調整工程における画面を示す図である。
【図４２】プリンタドライバのカモフラージュ模様調整工程における画面を示す図である。
【図４３】プリンタドライバのカモフラージュ模様調整工程における画面を示す図である。
【符号の説明】
【０１８３】
１６：原本                          ２０：複写物
ＬＩ：潜像部                        ＢＩ：背景部
１６Ｘ：原本の拡大画像              ２０Ｘ：複写物の拡大画像
３３：潜像部ディザマトリクス        ３４：背景部ディザマトリクス
【図１】
0004434282.tif 000004
【図４】
0004434282.tif 000005
【図５】
0004434282.tif 000006
【図６】
0004434282.tif 000007
【図８】
0004434282.tif 000008
【図１２】
0004434282.tif 000009
【図１３】
0004434282.tif 000010
【図１４】
0004434282.tif 000011
【図１５】
0004434282.tif 000012
【図１８】
0004434282.tif 000013
【図２０】
0004434282.tif 000014
【図２５】
0004434282.tif 000015
【図２６】
0004434282.tif 000016
【図２７】
0004434282.tif 000017
【図３０】
0004434282.tif 000018
【図３２】
0004434282.tif 000019
【図３９】
0004434282.tif 000020
【図４０】
0004434282.tif 000021
【図２】
0004434282.tif 000022
【図３】
0004434282.tif 000023
【図７】
0004434282.tif 000024
【図９】
0004434282.tif 000025
【図１０】
0004434282.tif 000026
【図１１】
0004434282.tif 000027
【図１６】
0004434282.tif 000028
【図１７】
0004434282.tif 000029
【図１９】
0004434282.tif 000030
【図２１】
0004434282.tif 000031
【図２２】
0004434282.tif 000032
【図２３】
0004434282.tif 000033
【図２４】
0004434282.tif 000034
【図２８】
0004434282.tif 000035
【図２９】
0004434282.tif 000036
【図３１】
0004434282.tif 000037
【図３３】
0004434282.tif 000038
【図３４】
0004434282.tif 000039
【図３５】
0004434282.tif 000040
【図３６】
0004434282.tif 000041
【図３７】
0004434282.tif 000042
【図３８】
0004434282.tif 000043
【図４１】
0004434282.tif 000044
【図４２】
0004434282.tif 000045
【図４３】
0004434282.tif 000046